(57)【要約】【課題】従来の問題点を解決すること。【解決手段】基板と、該基板の一側面上のみに配置されたアンテナコイルと、該基板の一側面上に配置され、アンテナコイルの内端部と外端部とを電気的に相互結合するようにアンテナコイルの少なくとも１つのターンを橋絡する薄型クロスオーバー要素とを備えるアンテナ回路を提供する。クロスオーバー要素は、アンテナコイルのターン上の又は該ターンに隣接する電気絶縁層と、電気絶縁層上の第１導電層と、第１導電層上にあり該第１導電層とは異なる導電性材料の第２導電層とを備える。【選択図】図５
2015037327.tif 000002
【特許請求の範囲】
【請求項１】
基板と、前記基板の一側面上のみに配置されたアンテナコイルと、前記基板の前記一側面上に配置され、前記アンテナコイルの内端部と外端部とを電気的に相互結合するように前記アンテナコイルの少なくとも１つのターンを橋絡する薄型クロスオーバー要素とを備え、前記クロスオーバー要素が、前記アンテナコイルの前記ターン上の又は該ターンに隣接する電気絶縁層と、前記電気絶縁層上の第１導電層と、前記第１導電層上にあり前記第１導電層とは異なる導電性材料の第２導電層とを備えることを特徴とする、アンテナ回路。
【請求項２】
前記第１導電層が、プリント可能な薄膜材料であることを特徴とする、請求項１に記載のアンテナ回路。
【請求項３】
前記第１導電層が、銀及び／又は炭素粒子を含有することを特徴とする、請求項１又は２に記載のアンテナ回路。
【請求項４】
前記第１導電層が、流動可能な導電性インクであることを特徴とする、請求項１から３のいずれかに記載のアンテナ回路。
【請求項５】
前記第１導電層が、非酸化性又は抗酸化性であることを特徴とする、請求項１から４のいずれかに記載のアンテナ回路。
【請求項６】
前記第２導電層が、電気メッキ層であることを特徴とする、請求項１から５のいずれかに記載のアンテナ回路。
【請求項７】
前記第２導電層が、銅であることを特徴とする、請求項１から６のいずれかに記載のアンテナ回路。
【請求項８】
前記第１導電層が、前記電気絶縁層に重なり合い、前記アンテナコイルの内端部と外端部とを物理的及び電気的に結合することを特徴とする、請求項１から項７のいずれかに記載のアンテナ回路。
【請求項９】
前記第２導電層が、前記第１導電層に重なり、前記アンテナコイルの前記内端部と前記外端部とを物理的及び電気的に結合することを特徴とする、請求項１から８のいずれかに記載のアンテナ回路。
【請求項１０】
請求項１から９のいずれかに記載のアンテナ回路と、前記アンテナコイルに電気的に結合されたＩＣチップと、を備えた無線周波数無線通信回路であって、前記基板が、本体部と、前記本体部に片持ち支持されたチップ取付け部とを含み、前記アンテナコイルが、前記本体部の周り及び前記チップ取付け部に沿って延び、前記ＩＣチップが、前記アンテナコイルと電気通信するように前記チップ取付け部に取り付けられること特徴とする、無線周波数無線通信回路。
【請求項１１】
前記チップ取付け部が前記本体部から遠ざかる方向に延び、前記チップ取付け部上に前記アンテナコイルの一部が設けられることを特徴とする、請求項１０に記載のアンテナ無線周波数無線通信回路。
【請求項１２】
前記本体部が、前記アンテナコイルに取り囲まれ、表示ユニットを収容するための中央開口を含むことを特徴とする、請求項１０に記載の無線周波数無線通信回路。
【請求項１３】
前記基板が、前記本体部及び前記チップ取付け部の周囲から延びるハウジング取付け部をさらに備えることを特徴とする、請求項１０から１２にいずれかに記載の無線周波数無線通信回路。
【請求項１４】
手持ち可能なハウジングと、前記手持ち可能なハウジングの表面のデータ入力ユーザーインターフェースと、前記データ入力ユーザーインターフェースを介して入力されたデータを前記手持ち可能な端末上に表示するための表示画面を有する表示ユニットと、前記表示ユニットが通り抜けて延びる手持ち可能なハウジング内にある請求項１０から１３のいずれかに記載の無線周波数無線通信回路とを備えることを特徴とする、販売ポイント移動端末。
【請求項１５】
薄型クロスオーバー要素を単一面型アンテナ回路上に形成する方法であって、
ａ）前記アンテナ回路の基板の第１側面において、該基板の前記第１側面上のアンテナコイルの少なくとも１つのターンを橋絡する第１導電層を電気絶縁層上にプリントする段階と、
ｂ）前記第１導電層上に第２導電層を電気メッキして前記アンテナコイルの内端部と外端部とを電気的に相互結合するため段階と、
を含む、方法。
【請求項１６】
基板と、前記基板の一側面上のみのアンテナコイルと、前記基板の前記一側面上にあり、前記アンテナコイルの少なくとも１つのターンを橋絡して前記アンテナコイルの内端部と外端部とを電気的に相互結合するクロスオーバー要素とを備え、前記クロスオーバー要素が、前記アンテナコイルの少なくとも１つのターンを橋絡するための剛性のある絶縁性ハウジングと、前記電気絶縁性ハウジングを通過して延び、前記アンテナコイルの前記内端部と前記外端部とを電気的に相互結合する導電体と、を備えることを特徴とする、アンテナ回路。
【請求項１７】
前記剛性のある絶縁性ハウジングが、導電体用ハウジング、ＩＣチップハウジング、及びキャパシタハウジングの少なくとも１つであることを特徴とする、請求項１６に記載のアンテナ回路。
【発明の詳細な説明】
【技術分野】
【０００１】
本発明は、アンテナ回路と、無線周波数無線通信回路、例えば、そのようなアンテナ回路を備えるＲＦＩＤ回路及び／又は近フィールド通信（ＮＦＣ）回路である無線周波数無線通信回路と、該アンテナ回路を利用する販売ポイント移動端末と、単一面型アンテナ回路上に薄型クロスオーバー要素を形成する方法とに関する。
【背景技術】
【０００２】
現在、薄型アンテナ回路を提供するために、フレキシブル回路基板には、その両側の主面に、導電性金属、この場合は銅の層がラミネートされる。次いで、ＲＦＩＤ回路、ＮＦＣ回路、又はその他の無線周波数無線通信回路に使用されるアンテナコイルが、エッチング又は他の方法で前記主面の前面上に形成され、クロスオーバー要素が、前記主面の裏面上に形成される。クロスオーバー要素は、短路接続用の銅製のトラック又はトレースであり、主面の裏面上の残りの銅層を取り除く際に残されたものである。
【０００３】
次に、貫通穴又はビアが、主面の前面と裏面との間に形成され、アンテナコイルの内端部をクロスオーバー要素の第１端部に相互接続し、アンテナコイルの外端部をクロスオーバー要素の第２端部に相互接続する。次に、貫通穴はメッキされて、アンテナコイルとクロスオーバー要素とを電気的に接続し、それによってアンテナ回路を形成する。
【０００４】
しかしながら、そのように主面から大量の銅を除去することは、著しい無駄及び製造コストの増大の原因となる。貫通穴は、レーザー又は高精度の穿孔技術によってのみ形成することができるので、製造時間が長くなり、穿孔位置の不一致による不良率を潜在的に高めることになる。更に、貫通穴のメッキは、電流の流れを阻害するので、回路抵抗が変化して、作動性能が低下する。
【発明の概要】
【発明が解決しようとする課題】
【０００５】
本発明は、これらの問題の解決手段を提供することを目的とする。
【課題を解決するための手段】
【０００６】
本発明の第１の態様によると、基板と、該基板上の一側面のみに配置されたアンテナコイルと、該基板の一側面上に配置され、アンテナコイルの内端部と外端部とを電気的に相互結合するようにアンテナコイルの少なくとも１つのターンを橋絡する薄型クロスオーバー要素とを備え、クロスオーバー要素が、アンテナコイルのターン上の又はターンに隣接する、好ましくはオーバープリント可能な電気絶縁層と、該電気絶縁層上の、好ましくはプリント可能な第１導電層と、好ましくは電着された、第１導電層上にあり異なる導電性材料の第２導電層とを含む、アンテナ回路が提供される。
【０００７】
好ましくは、アンテナコイルのターン上の又はターンに隣接する電気絶縁層は、オーバープリント可能であり、電気絶縁層上の第１導電層は、プリント可能であり、第２導電層は、第１導電層上にあり、異なる導電性材料が電着される。
【０００８】
随意的に、第１導電層は貴金属粒子を含むことができ、この場合、銀粒子を利用することが好ましい。これによって、特に製造時の酸化が低減又は排除される。代替的に又は追加的に、炭素粒子を利用することができる。これは費用削減の助けとなるが、依然として良好な導電性が可能になり、上部に第２導電層を形成するためのベース層がもたらされる。
【０００９】
好都合には、第１導電層は流動可能な導電性インクとすることができる。これによって、クロスオーバー要素を迅速かつ容易に基板の一側面上のアンテナコイルを横切るように施工することができる。
【００１０】
第２導電層は、電気メッキ層であることが好ましい。これによって、クロスオーバー要素を通って伝わる電流のためのより堅牢な導電経路を提供できる。さらに、第２導電層は、非貴金属とすることができ、例えば、好都合には銅とすることができる。これは、アンテナコイルの抵抗をアンテナコイルのクロスオーバー要素により精密に一致させるのに好都合である。
【００１１】
好ましくは、アンテナコイルの内端部及び外端部は少なくとも第１導電層と結合され、第１導電層は電気絶縁層に重ね合わされる。これによって、クロスオーバー要素はアンテナコイルと堅牢に結合し、これによりアンテナ回路の寿命が長くなり、クロスオーバー要素の形状が最小化する。
【００１２】
有利には、第２導電層は第１導電層に重ね合わされて、アンテナコイルの内端部と外端部とを電気的に結合するようになっている。第１の導電層と、異なる施工手段によって施工される第２の導電層との両方を利用することによって、クロスオーバー要素によるアンテナコイルの各端部の堅牢な結合が実現する。
【００１３】
本発明の第２の態様によると、本発明の第１の態様によるアンテナ回路と、該アンテナ回路に電気的に結合されたＩＣチップとを備え、基板が、本体部と、該本体部に片持ち支持されたチップ取付け部とを含み、アンテナコイルが、本体部の周り及びチップ取付け部に沿って延び、ＩＣチップが、アンテナコイルと電気通信するようにチップ取付け部に取り付けられた、無線周波数無線通信回路が提供される。
【００１４】
好ましくは、取付け部分は、本体部から離れる方向に延びる片持ち状の尾部であり、その上にアンテナコイルの一部が設けられる。このことは、アンテナコイルによって境界付けされた本体部の中心領域に構成部品を収容するための開口を設けるのに好都合であり、例えば、この領域内に又はこれを貫通する表示ユニットを収容する。
【００１５】
基板は、本体部から及び尾部の周りから延びるハウジング取付け部をさらに備えることができる。これは、チップ取付け部分を保護するだけでなく、無線周波数無線通信回路を装置ハウジング又は支持部に取り付けるための締結位置の数を増加させる。
【００１６】
本発明の第３の態様によると、手持ち可能なハウジングと、該手持ち可能なハウジングの表面のデータ入力ユーザーインターフェースと、データ入力ユーザーインターフェースを介して入力されたデータを手持ち可能な端末上に表示するための表示画面を有する表示ユニットと、表示ユニットが通り抜けて延びる手持ち可能なハウジング内にある本発明の第２の態様による無線周波数無線通信回路と、を備える販売ポイント移動端末が提供される。
【００１７】
本発明の第４の態様によると、薄型クロスオーバー要素を単一面型アンテナコイル上に形成する方法が提供され、本方法は、ａ）アンテナ回路の基板の第１側面において、基板の第１側面上のアンテナコイルの少なくとも１つのターンを橋絡する第１導電層を電気絶縁層上にプリントする段階と、ｂ）第１導電層上に第２導電層を電気メッキしてアンテナコイルの内端部と外端部とを電気的に相互結合する段階とを含む。
【００１８】
本発明の第５の態様によると、基板と、該基板の一側面上のみのアンテナコイルと、基板の一側面上にあり、アンテナコイルの少なくとも１つのターンを橋絡してアンテナコイルの内端部と外端部とを電気的に相互結合するクロスオーバー要素とを備え、クロスオーバー要素は、アンテナコイルの少なくとも１つのターンを橋絡するための剛性のある絶縁性ハウジングと、電気絶縁性ハウジングを通過して延び、アンテナコイルの内端部と外端部とを電気的に相互結合する導電体と、を備えるアンテナ回路が提供される。
【００１９】
本発明の好ましい実施形態が、例示的に、添付図面を参照して以下に説明される。図面において、２以上の図面に現れる同様の構造、要素又は部分には全て、現れる図面の全てにおいて同一の参照番号が付される。図面に示された部品及び形状の寸法は、全て利便性のため及び説明を明確にするために選択されており、必ずしも縮尺通りではない。
【図面の簡単な説明】
【００２０】
【図１】本発明の第１から第４の態様による、アンテナコイルの各端部の間に取り付けられたクロスオーバー要素をもつ、アンテナ回路の第１の実施形態を示す断面図である。
【図２】主面の前面にアンテナコイルをもつ、イメージ可能な回路基板を示す平面図である。
【図３】誘電パッチが取り付けられたアンテナコイルを示す、図２に類似する図である。
【図４】誘電パッチに取り付けられた、第１導電性トレースを示す図である。
【図５】図４に記載の第１導電性トレースに取り付けられた、第２導電性トレースを示す図である。
【図６】本発明の第５の態様による、アンテナコイルの各端部の間に取り付けられた異なるクロスオーバー要素をもつ、アンテナ回路の第２の実施形態を示す平面図である。
【図７】図６に記載のアンテナ回路を拡大し、クロスオーバー要素をより明確に示す図である。
【図８】クロスオーバー要素を備えたアンテナ回路をもつ、ブロードキャスト型又は非ブロードキャスト型のスマートカード、又は非接触型銀行カードの分解組み立て図である。
【図９】内部にクロスオーバー要素を備えるアンテナ回路もち、図８に記載のスマートカード又は銀行カードと協働して使用される、販売ポイント移動端末を示す図である。
【発明を実施するための形態】
【００２１】
まず、図１から図５までを参照すると、アンテナ回路１０の第１の実施形態は、好ましくは可撓性のイメージ可能な、回路基板１２と、アンテナコイル１４と、薄型クロスオーバー要素１６とを備える。可撓性のイメージ可能な回路基板１２は、裏面の主面１８においては積層されていないので、導電層、トレース、又は回路、特にアンテナコイル１４に関連する回路を持たない。詳細には、基板１２の裏面の主面１８は、プラスチックのメタライズされていない表面を提示しており、好都合には、導電層状皮膜を表面から除去することを必要としないように提供される。
【００２２】
本実施形態においては、基板１２は、表示ユニット開口２２を定める連続した切れ目のない本体部２０と、表示ユニット開口２２から遠ざかる方向に本体部２０の一側面から片持ち状に延びる尾部２４と、本体部２０の長手方向側面の対向するコーナー部から延びて尾部２４を取り囲んで保護する細長いストリップ状取付け部２６とを提供するように、打ち抜き加工されるか又は形成される。
【００２３】
表示ユニット開口２２が形成されているが、必要に応じて、基板には開口がなくてもよく、又は異なる寸法の開口を有することができる。尾部２４は、開口２２から遠ざかる方向に延びることが好ましいが、追加的に又は代替的に、基板の開口内又は別の開口内に延びることができ、或いは、アンテナコイル１４が完全に本体部に設けられる場合には省略することができる。
【００２４】
基板１２上には取付け開口２８が設けられており、アンテナ回路が組み込まれる装置のハウジング、シャーシ、又はモジュールと結合するようになっている。この場合、前述の取付け開口２８の２つは、本体部２０の対称位置の内側コーナー部に形成され、前述の取付け開口２８の２つは、取付け部２６の対称位置の内側コーナー部に形成される。
【００２５】
この場合、本体部２０の表示ユニット開口２２は、販売ポイント移動端末すなわちＰＯＳ端末２３の表示ユニット２１を収容するような大きさである。図９を参照すると、本体部２０は、ＰＯＳ端末２３の表示ユニット２１のスクリーン２５の外周の周りに延び、これに対して埋め込まれて、端末ハウジング２９の前面２７の直下に配置される。しかしながら、端末ハウジング２９内のアンテナ回路の他の配置、及び例えばＲＦＤ回路又はＮＦＣ回路といった無線周波数無線通信回路を形成することを想定することができ、例えば、端末ハウジング２９の前面に２７に設けられたキーパッド３３等のデータ入力ユーザーインターフェース３１を取り囲むようにアンテナ回路１０を配置することは好都合であり、より大きなアンテナコイルを利用することが可能になる。
【００２６】
基板１２の本体部２０は、アンテナコイル１４の内端部３０と外端部３２とを含む。これら内端部３０及び外端部３２の両方は、尾部２４の近位端34に隣接する。アンテナコイル１４は本体部２０の周りを延び、内端部３０及び外端部３２、及び尾部２４の自由端である遠位端３６で終端し、適切なＩＣチップ２７を取り付ける準備ができている（図８参照）。
【００２７】
基板１２の前面の主面３８は、例えばこの場合は銅製であるか又は銅を含有する、少なくとも１つの導電性被覆が事前に積層されている。アンテナコイル１４は、エッチング又は他の適当な処理によって形成され、積層された導電層４０は、基板１２のプラスチックベース表面４２まで部分的に除去され、本体部２０の周囲及び尾部２４に沿って導電層を残すようになっている。積層された導電性被覆４０は、取付け部２６からは完全に除去される。
【００２８】
従って、クロスオーバー要素１６を施工して、内端部３０と外端部３２との間のアンテナコイル１４の部分４６と、尾部２４とを橋絡する必要がある。本実施形態のクロスオーバー要素１６は、アンテナコイル１４の単一のコイル、ターン、又はトレースのみを橋絡しているが、必要に応じて、クロスオーバー要素１６は、内端部３０と外端部３２の間を通る複数のコイル、ターン、又はトレースを橋絡することができる。
【００２９】
クロスオーバー要素１６の施工に関して、以下に図１及び図５に加えて図２から図４までの図面を参照する。図２及び図５に示されているように、電気絶縁層つまり誘電体層４８は、この場合、まずアンテナコイル１４の内端部３０と外端部３２との間に延びるトレースの部分４６の上部に施工されて重なる。好ましくは、電気絶縁層４８は、アンテナコイル１４の横方向外側範囲と少なくとも一致する第１寸法と、内端部３０と外端部３２との間の距離にほぼ一致する第２寸法とをもつ。
【００３０】
好都合には、電気絶縁層４８は、誘電性のスクリーンプリント可能な紫外線硬化型非溶剤性インクとすることができ、例えば、ウレタンアクリレート結合剤及び／又はマンガンケイ酸塩フィルタを含有することができる。
【００３１】
図３及び図５を参照すると、細長い第１導電層又はトレース５０は、電気絶縁層上に、この場合、その最上部に施工される。第１導電層５０の長手方向の範囲は、電気絶縁層４８に重なるので、アンテナコイル１４の内端部３０及び外端部３２を直接結合する。
【００３２】
第１導電層５０は、銀等の貴金属粒子を含有したプリント可能な薄膜インクであることが好ましい。貴金属を使用することは、製造時の酸化を防止又は減少させるために好都合であるだけでなく、後続の電気メッキ工程のための適切なベース層を提供する。しかしながら、貴金属は、炭素等の導電性非貴金属粒子に置き換えること、又はこれを追加することが可能である。
【００３３】
第１導電層５０は、流動性及び硬化性の導電性ＰＴＦインクであることが好ましいが、他の誘電性材料及び／又は他の形成方法を考えることができる。
【００３４】
図４及び図５を参照すると、次に、細長い第２導電層又はトレース５２が、第１導電層５０上に、この場合、その最上部に施工される。第２導電層５２は、電気絶縁層４８と接触しないが、第１導電層５０と結合することが好ましい。また、第２導電層５２の長手方向の範囲は、第１導電層５０よりも大きい。従って、第２導電層５２は、第１導電層５０に対し少なくとも長手方向に重なり、アンテナコイル１４の内端部３０と外端部３２とを、第１導電層５０の第２結合領域５５に隣接する第１結合領域５４において直接結合する。
【００３５】
第２導電層５２は、電気メッキされた金属層であることが好ましく、この場合、銅である。第１導電層５０が適切なメッキ可能なベース層を提供するので、第２導電層５２は、アンテナコイル１４の内端部３０と外端部３２の両方に電気メッキされ、クロスオーバー要素１６を完成させることができる。
【００３６】
オーバープリント可能な電気絶縁層４８と、プリント可能な第１導電層５０と、電着された第２導電層５２を生成することで、クロスオーバー要素１６は、アンテナコイル１４の抵抗と一致するか又は実質的に一致する抵抗を得るように調整することがより容易になる。これによって、電流方向に対する著しい変化がなく、共通の導電性材料の管理が不要なのでアンテナ性能が向上し、これは特にブロードキャスト用アンテナだけでなく読み込み用及び受信用アンテでも有益である。また、基板１２の裏面の主面の１８上に被覆又は層が全く存在しないことによって薄型アンテナを維持することは、アンテナ回路１０が一部を形成する無線周波数無線通信回路を既存のＰＯＳ端末設計に組み込むことを可能にする点で有益である。
【００３７】
追加的に又は代替的に、この新しいアンテナ回路１０は、ブロードキャスト用又は非ブロードキャスト用スマートカード及び／又は非接触型銀行カード７２に適用することができる。図８及び図９を参照されたい。
【００３８】
図８を参照すると、スマートカード７０又は非接触型銀行カード７２は、上部基板７６及び下部基板７６から形成されたカード本体７４と、その間に配置された回路基板１２とを備える。この場合、基板１２の尾部２４は省略されている。
【００３９】
接触パッド８０は、回路アンテナ１４内に形成され、パッドは外方に向いた電子カード読み取り接点８２を含む。
【００４０】
ＩＣチップ３７は接触パッド８０の裏面に取り付けられており、フリップチップ取付け技術又は他の適切な電気的接続方法によって、その間で電気通信を行うようになっている。
【００４１】
以下、図６及び図７の図面を参照して、アンテナ回路１０の第２の実施形態を説明する。第１の実施形態において使用されたものと同一の参照符号は、同一の又類似する部品を示すために用いられており、詳細な説明は省略されている。
【００４２】
片面アンテナ回路１０は、回路基板１２と、回路基板１２の前面の主面３８上のアンテナコイル１４と、回路基板１２の前面の主面３８上のクロスオーバー要素１６とを備える。しかしながら、この場合、クロスオーバー要素１１６は、内端部３０と外端部３２との間を通るアンテナコイル１４、又はその各ターンを橋絡するための、剛性のある電気絶縁性ハウジング１５６と、該電気絶縁性ハウジング１５６を通過してアンテナコイル１４の内端部３０と外端部３２とを電気接続するようになった導電体１５８とを含む。
【００４３】
導電体１５８は、電気絶縁性コア又は巻型上に形成することができ、これはセラミック製コア又は巻型とすることができる。
【００４４】
導電体１５８は、アンテナコイル１４のコイル、トレース、又はターンと同じ材料によって形成されることが好ましい。従って、この場合、導電体１５８は銅であることが好ましい。
【００４５】
導電体１５８の末端部１６０は、電気絶縁性ハウジング１５６から延び、例えば、はんだ付け又はろう付けによって内端部３０及び外端部３２のそれぞれに直接結合する。
【００４６】
この第２の実施形態において、クロスオーバー要素１１６として、抵抗器１６２を使用することが好都合であり、例えば、抵抗器１６２の抵抗は０オームとすることができる。しかしながら、この抵抗器１６２は、第１の実施形態のクロスオーバー要素１１６よりも高さのある形状なので、再設計することなく既存の装置デザインに組み込むことはより困難であろう。
【００４７】
代替的に、第２の実施形態によるクロスオーバー要素１１６は、機能性ＩＣチップ、チップキャパシタ、又は他の適切な電子デバイスとすることができる。この場合、必要であれば、電気絶縁性ハウジング１５６はＩＣチップハウジング又はキャパシタハウジングとすることができる。好ましくは、このような電子デバイスは、クロスオーバーの目的で単独で使用され、結果的に他の何らかの機能をもたず、回路の動的部分を形成しない、ダミー構成要素又は受動構成要素とすることができる。
【００４８】
さらに、第２の実施形態の導電体１５８がアンテナコイル１４とは異なる材料である場合、回路抵抗が変化して潜在的性能の低下につながる。
【００４９】
従って、第２の実施形態の構成は、スマートカード又は非接触型銀行カードに組み込まれるような、非ブロードキャストの無線周波数無線通信回路により適するであろう。
【００５０】
ＲＦＩＤ及びＮＦＣが用途として推奨されているが、任意の適切な遠距離用又は近距離用無線周波数無線通信回路を前述のアンテナ回路に使用することができる。
【００５１】
回路基板の両面に導電性被覆を必要としないので、薄型を維持して、アンテナ性能を改善するだけでなく消費される材料も著しく低減した片面アンテナ回路を提供することが可能である。
【００５２】
本発明の説明及び請求項において、「備える」、「含む」、「含有する」及び「もつ」、及びそれらの派生形の動詞の各々は、具体的な物品又は形状が存在することを示すために包括的な意味で使用されており、追加的な物品又は形状の存在を排除するものではない。
【００５３】
明瞭にするために、別々の実施形態の文脈において説明された本発明の幾つかの特徴は、単一の実施形態において組み合わせて構成することができる。反対に、本発明の様々な特徴は、簡潔性のために、単一の実施形態の文脈において説明されているが、これらは別々に又は何らかの適切で部分的組み合わせで提供することができる。
【００５４】
前記の実施形態は例示的に提供されており、当業者であれば、請求項によって決定される本発明の範囲から逸脱することなく、種々の他の変更例を理解できるはずである。
【符号の説明】
【００５５】
１０  アンテナ回路
１２  回路基板
１４  アンテナコイル
１６  クロスオーバー要素
１８  主面
２０  本体部
２１  表示ユニット
２２  表示ユニット開口
２４  尾部
２６  取付け部
２８  取付け開口
３０  内端部
３２  外端部
４０  導電性被覆層
５０  第１導電層
５２  第２導電層
７０  スマートカード
７２  銀行カード
７４  カード本体
１５６  ハウジング
１５８  導電体
【図１】
2015037327.tif 000003
【図２】
2015037327.tif 000004
【図３】
2015037327.tif 000005
【図４】
2015037327.tif 000006
【図５】
2015037327.tif 000007
【図６】
2015037327.tif 000008
【図７】
2015037327.tif 000009
【図８】
2015037327.tif 000010
【図９】
2015037327.tif 000011
【外国語明細書】
2015037327000001.pdf